(57)【要約】      （修正有）【課題】メガネのフロント部正面に跳ね上げフロント部が取付けられ、又前屈みする跳ね上げ式メガネフレームの提供。【解決手段】跳ね上げフロント部１の片側端には回動部７を取付け、そしてフロント部の両側端には正面側へ延びるアーム９ａ，９ｂを設けると共に片方のアーム先端には上記回動部７を軸支して跳ね上げフロント部１を取付け、又他方のアーム先端には跳ね上げフロント部１が閉じた場合に安定するように該跳ね上げフロント部他側端に取付けた磁石片８との間で磁気力を介して止着される。そして、上記回動部７を軸支する軸は平面図において角度α傾斜し、又正面図において角度β傾斜し、さらに上記回動部７の外周に凹溝を形成し、アーム９ａにはバネ力を付勢して取付けたボールを該凹溝に係合する。【選択図】図１
2010281917.tif 000002
【特許請求の範囲】
【請求項１】
メガネのフロント部正面に跳ね上げフロント部が取付けられる跳ね上げ式メガネフレームにおいて、跳ね上げフロント部の片側端には回動部を取付け、そしてフロント部の両側端には正面側へ延びるアームを設けると共に片方のアーム先端には上記回動部を軸支して跳ね上げフロント部を取付け、又他方のアーム先端には跳ね上げフロント部が閉じた場合に安定するように該跳ね上げフロント部他側端に取付けた磁石片との間で磁気力を介して止着され、そして、上記回動部を軸支する軸は平面図において角度α傾斜し、又正面図において角度β傾斜し、さらに上記回動部の外周に凹溝を形成し、アームにはバネ力を付勢して取付けたボール又はピンを該凹溝に係合するようにしたことを特徴とする跳ね上げ式メガネフレーム。
【請求項２】
上記フロント部をワタリで構成すると共に両側端部を屈曲してヨロイ部を形成し、該ヨロイ部にはアームを外方向へ傾斜してロウ付けした請求項１記載の跳ね上げ式メガネフレーム。
【発明の詳細な説明】
【技術分野】
【０００１】
本発明はフロント部を跳ね上げることが出来る跳ね上げ式メガネフレームに関するものである。
【背景技術】
【０００２】
跳ね上げ式メガネフレームとは跳ね上げフロント部が上・下に開閉するように構成したフレームである。この種のメガネフレームは従来から周知であり、例えば近視用メガネにサングラスを取付けて跳ね上げ式としたり、老眼鏡を跳ね上げ式としたものが多用されている。すなわちフロントフレームを二重構造として構成したもので、表側の跳ね上げフロント部を開閉式としている。
【０００３】
ところで、メガネフレームはフロント部の両側にツルが取付けられ、該ツルは折畳み出来るように継手構造を備えている。該継手構造には色々あるが、一般的には蝶番継手が用いられており、メガネを外すときにはツルは折畳まれる。そして、メガネを掛ける場合には、一般のメガネと同じようにツルを開いて先端に挿着したモダンを耳に係止することが出来る。
【０００４】
跳ね上げ式メガネフレームの形態も色々知られているが、基本的な形態としては、跳ね上げフロント部はフロント部の上部に設けている継手を介して取付けられ、該継手を中心として上方へ旋回して跳ね上げることが出来る。しかし、正面に継手が露出していることで外観上は好ましくない。
【０００５】
そこで、出願人は平成２１年２月１２日付けで実用新案登録出願を行って登録された実用新案登録第３１５００１１号に係る「跳ね上げ式メガネフレーム」は、メガネのフロント部正面に跳ね上げフロント部が取付けられ、又前屈みすることが出来る跳ね上げ式メガネフレームである。
【０００６】
跳ね上げフロント部の両側には概略Ｌ形アーム取付け、該Ｌ形アームの先端をフロント部の背面に固定した軸受けに軸支する。Ｌ形アームの先端外周には係合溝を形成し、該係合溝には軸受けにバネ力を付勢したボールを係合し、上方へ跳ね上げることが出来ると共に下方へ屈曲して前屈み状態に出来る。
【特許文献１】実用新案登録第３１５００１１号に係る「跳ね上げ式メガネフレーム」
【発明の開示】
【発明が解決しようとする課題】
【０００７】
このように実用新案登録第３１５００１１号に係る「跳ね上げ式メガネフレーム」では、フロント部を跳ね上げることが出来、新聞や雑誌を読む際には前屈み状態に屈曲することが出来る。しかし、Ｌ形アームを旋回してフロント部を跳ね上げる場合、フロント部の上部が顔の額に当るといった問題がある。少なくともフロント部が接近することで違和感を覚える。本発明が解決しようとする課題はこの問題点であり、遠くを見るときには跳ね上げフロント部を上方へ跳ね上げることが出来ると共に、跳ね上げた状態でのフロント部は顔から距離をおいて跳ね上げられるようにした跳ね上げ式メガネフレームを提供する。
【課題を解決するための手段】
【０００８】
本発明に係る跳ね上げ式メガネフレームは、跳ね上げフロント部の片側端を軸支して上方へ跳ね上げることが出来る。跳ね上げフロント部はレンズやサングラスが嵌るリムを有し、両リムは連結部材を介して連結され、そして跳ね上げフロント部の片側端が軸支され、他方端（自由端）はフロント部から分離出来るように構成されている。すなわち、跳ね上げる場合には他方端はフロント部から離れ、閉じる場合に結合するように磁石が取付けられている。
【０００９】
跳ね上げフロント部はフロント部の片側端から突出したアームに軸支されている。ここで、跳ね上げフロント部はレンズが取付けられる環状リムに代わって、レンズの上側半分を拘束するハーフリムとレンズの下側を保持する高張力糸の組み合わせで構成する場合、又はリムを用いることなく両レンズを連結部材にて直接ネジ止めした構造とする場合もある。
【００１０】
そして、該跳ね上げフロント部の片側端に設けた回動部はアーム先端に軸支されて回転することが出来る。従って、跳ね上げフロント部は上方へ跳ね上げられる。回動部には軸穴を中心とした所定の半径を有す外周面に凹溝が複数箇所に設けられ、アーム側にバネ力を付勢して取付けたボール又はピン先端が凹溝に係合することが出来、跳ね上げられる跳ね上げフロント部の跳ね上げ角度が調整される。そして、跳ね上げフロント部の回動部を軸支する軸は、跳ね上げフロント部の他側端側がフロント部から離れるように、又跳ね上げフロント部の他側端側が僅かに上昇するように傾斜している。
【００１１】
ボール又はピン先端が凹溝に嵌ることで、跳ね上げフロント部は所定の位置で停止する。そして、フロント部の両側にはヨロイが設けられ、該ヨロイには蝶番などの継手を介してツルが折畳み出来るように取付けられている。ここで、フロント部の形態は湾曲した１本の線材で構成する場合、又はリムを設けてレンズが嵌る場合があり、中央部には鼻に当って支持する為の鼻当てパットが取付けられる。
【発明の効果】
【００１２】
本発明に係る跳ね上げ式メガネフレームは、跳ね上げフロント部を上方へ跳ね上げることが出来る。従って、例えば跳ね上げフロント部が老眼鏡と成っている場合には近くはよく見え、跳ね上げフロント部を跳ね上げることで遠くも見易くなる。上方へ跳ね上げられた跳ね上げフロント部は落下することなく所定の位置で停止する。すなわち、回動部の外周に形成した凹溝にバネ力を付勢したボール又はピン先端が係合する。
【００１３】
そして、本発明では跳ね上げフロント部は片側端が軸支された構造であって、跳ね上げる場合には他方端はフロント部から離れて斜め前方に旋回する為に、跳ね上がった跳ね上げフロント部が顔の額に当ることはなく、又違和感も生じない。又、本発明の跳ね上げフロント部は斜め上方へ跳ね上がる為に、跳ね上げられた跳ね上げフロント部が視線に入って視界を遮ることもない。
【図面の簡単な説明】
【００１４】
【図１】本発明の跳ね上げ式メガネフレームで、跳ね上げフロント部が閉じている場合。
【図２】跳ね上げフロント部が跳ね上げられた場合。
【図３】跳ね上げフロント部を軸支している軸の方向。
【図４】跳ね上げフロント部を軸支するアーム。
【図５】跳ね上げフロント部が閉じた場合の他側端を止着するアーム、及び磁石片。
【図６】跳ね上げフロント部の片側端に取着される回動部。
【発明を実施するための形態】
【００１５】
図１は本発明に係る跳ね上げ式メガネフレームを示す実施例であり、同図の１は跳ね上げフロント部、２はフロント部のワタリ、３はツルを表している。跳ね上げフロント部１は両リム４，４が連結部材５を介して左右対称に連結され、リム４，４の外側にはヨロイ６ａ，６ｂが取付けられている。そして、一方側のヨロイ６ａの背面には回動部７が取着され、他方のヨロイ６ｂには磁石片８が取付けられている。
【００１６】
そしてフロント部のワタリ２の両側端に取着されて正面側へアーム９ａ，９ｂが延び、上記回動部７はアーム９ａの先端に軸支されている。又、他方の磁石片８はアーム９ｂの先端に設けた磁石に吸引されて止着している。そこで、跳ね上げフロント部１を跳ね上げる場合には、片側端の回動部７を中心として旋回し、この場合、他側端の磁石片８はアーム９ｂの先端から離れることになる。
【００１７】
ワタリ２の両側は屈曲してヨロイ部１０，１０が形成され、該ヨロイ部１０，１０の先端には蝶番１１，１１を介してツル３，３が折畳み出来るように連結している。そして、ワタリ２の中央部には鼻当てパット１２，１２が対を成して取付けられている。
【００１８】
図２は跳ね上げフロント部１を跳ね上げた場合を示す実施例である。このように、本発明の跳ね上げフロント部１は片側端に設けた回動部７を中心として旋回することで、他側端はアーム９ｂから離れて斜め前方及び斜め上方へ突出する。すなわち、跳ね上げられた状態が同図に示すように斜め前方及び斜め上方へ突出するようにアーム９ａに軸支される回動部７の軸は傾斜している。
【００１９】
図３は跳ね上げフロント１の回動部７の向きを示しているが、該回動部７はアーム９ａの先端に軸支され、しかも傾いて軸支されている。図３（ａ）は平面図、（ｂ）は正面図を表し、アーム９ａの先端に設けた軸を中心として回動部７が回転することで、跳ね上げフロント部１が旋回して斜め前方及び斜め上方に跳ね上げられる。ところで、アーム９ａは平面図において外方向へ角度αだけ傾いている。従って、回動部７を軸支している軸はＡ−Ａの方向となり、左右方向に対して角度αの傾斜をもっている。
【００２０】
又、同図（ｂ）の正面図において、回動部７は垂直方向に対して角度βだけ外方向に倒れている。従って、回動部７の軸はＢ−Ｂ方向となり水平に対して角度βだけ傾斜している。このように、回動部７を軸支する軸の向きが傾斜した状態でアーム９ａの先端に設けている為に、跳ね上げフロント部１は図３のように旋回する。すなわち、跳ね上げフロント部１の自由端は上方へ浮上するように跳ね上げられる。
【００２１】
勿論、跳ね上げフロント部１の他側端（自由端）は、アーム９ｂの先端に磁石を介して止着され、閉じた状態では他側端がバタ付かないように成っている。しかし、跳ね上げる場合には、アーム９ｂから外れて図３のように旋回することが出来、跳ね上げフロント部１は顔から離れた状態で跳ね上げられることから、違和感を覚えない。
【００２２】
図４は片側端に固定されるアーム９ａを単独で示している。アーム９ａの先端に溝１３が形成され、この溝１３に跳ね上げフロント部１から背後へ延びる回動部７が嵌る。そして、溝１３を間にして両側のアーム片１４ａ，１４ｂには軸が嵌る穴１５を設けている。そして、アーム９ａの基部はヨロイ部１０にロウ付けし易いように平坦な切欠き面１６を設けている。
【００２３】
図５（ａ）は他側端に固定されて延びるアーム９ｂであり、図５（ｂ）は跳ね上げフロント部側に取着される磁石片８を示している。アーム９ｂの先端と、磁石片８には夫々互いに引き合う磁石が固定されている。勿論、一方側にのみ磁石を取付け、他方を磁性体としてもよい。
【００２４】
図６は跳ね上げフロント部１の片側端に取着される回動部７であり、この回動部７は上記アーム９ａの溝１３に嵌り、軸によってアーム片１４ａ，１４ｂと互いに連結される。そして、回動部７の外周には凹溝１７ａ，１７ｂが形成されていて、この凹溝１７ａ，１７ｂにはアーム９ａに内蔵したコイルバネ１８によってバネ力を付勢しているボール１９が係合することが出来る。従って、跳ね上げフロント部１は、跳ね上がった位置及び閉じた位置にて安定するようにバネ力を付勢したボール１９は凹溝１７ａ，１７ｂに係合することが出来る。
【符号の説明】
【００２５】
１  跳ね上げフロント部
２  ワタリ
３  ツル
４  リム
５  連結部材
６  ヨロイ
７  回動部
８  磁石
９  アーム
10  ヨロイ部
11  蝶番
12  鼻当てパット
13  溝
14  アーム片
15  穴
16  切欠き面
17  凹溝
18  コイルバネ
19  ボール
【図１】
2010281917.tif 000003
【図２】
2010281917.tif 000004
【図３】
2010281917.tif 000005
【図４】
2010281917.tif 000006
【図５】
2010281917.tif 000007
【図６】
2010281917.tif 000008